【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
テトラカルボン酸二無水物と、ジアミンと、を反応させて得られるポリイミド前駆体であって、テトラカルボン酸二無水物成分の少なくとも１種が下記一般式（１）で表される構造を有することを特徴とするポリイミド前駆体。
【化１】
2011256242.tif 000001
（式（１）中、Ｒ１は１個以上の環状構造を有する２価の有機基であり、Ｒ２は炭素数２から炭素数１０のアルキレン基である。Ｒ２の構造は単一でも異なっていてもよい。ｍおよびｎは１以上の整数を表し、２≦ｍ＋ｎ≦６０、かつｍ＋ｎ個のＲ２に含まれる炭素数の合計が５以上である。）
【請求項２】
前記一般式（１）におけるＲ１がリン原子を含むことを特徴とする請求項１に記載のポリイミド前駆体。
【請求項３】
前記一般式（１）におけるＲ１が下記一般式（５）、下記一般式（６）、下記一般式（７）から選ばれる１種で表される構造を有することを特徴とする請求項２に記載のポリイミド前駆体。
【化２】
2011256242.tif 000002
（式（５）から式（７）中、Ｒ７からＲ１７はそれぞれ独立に水素原子、または炭素数１〜炭素数６の有機基であり、Ｙ１およびＹ２は単結合、−Ｏ−、−ＣＯ−、−ＣＯＯ−、−ＳＯ２−、−Ｓｉ（ＣＨ３）２−、−Ｃ（ＣＦ３）２−、または炭素数１から１２のアルキレン基、アルキリデン基、フェニレン基、アルキレンジオキシ基、フェニレンジオキシ基から選ばれる１種であり、Ｚ１〜Ｚ９はそれぞれ独立に酸素原子、または単結合である。ｈおよびｊは１〜３の整数、ｉおよびｋは０〜２の整数であり、ｈ＋ｉ＝１〜３、ｊ＋ｋ＝１〜３である。）
【請求項４】
前記一般式（１）におけるＲ１が下記一般式（２）、下記一般式（３）及び下記一般式（４）から選ばれる１種で表される構造であることを特徴とする請求項１に記載のポリイミド前駆体。
【化３】
2011256242.tif 000003
（式（２）中、Ｘは単結合、−Ｏ−、−ＣＯ−、−ＣＯＯ−、−ＳＯ２−、−Ｓｉ（ＣＨ３）２−、−Ｃ（ＣＦ３）２−、または炭素数１から炭素数１２のアルキレン基、アルキリデン基、フェニレン基、アルキレンジオキシ基、フェニレンジオキシ基から選ばれる１種である。Ｒ３およびＲ４はそれぞれ独立に水素原子、フッ素原子、または炭素数１から炭素数１２の１価の有機基であり、ａ、ｂはそれぞれ独立に１または２である。式（３）、式（４）中、Ｒ５およびＲ６は水素原子、フッ素原子、または炭素数１から炭素数１２の１価の有機基であり、ｃ、ｄは１または２である。）
【請求項５】
下記一般式（８）で表される構造を有することを特徴とするテトラカルボン酸二無水物。
【化４】
2011256242.tif 000004
（式（８）中、Ｒ１８は１個以上の環状構造とリン原子とを有する２価の有機基であり、Ｒ２は炭素数２から炭素数１０のアルキレン基である。Ｒ２の構造は単一でも異なっていてもよい。ｍおよびｎは１以上の整数を表し、２≦ｍ＋ｎ≦６０、かつｍ＋ｎ個のＲ２に含まれる炭素数の合計が５以上である。）
【請求項６】
前記一般式（８）におけるＲ１８が下記一般式（５）、下記一般式（６）、下記一般式（７）から選ばれる１種で表される構造を有することを特徴とする請求項５に記載のテトラカルボン酸二無水物。
【化５】
2011256242.tif 000005
（式（５）から式（７）中、Ｒ７からＲ１７はそれぞれ独立に水素原子、または炭素数１〜炭素数６の有機基であり、Ｙ１およびＹ２は単結合、−Ｏ−、−ＣＯ−、−ＣＯＯ−、−ＳＯ２−、−Ｓｉ（ＣＨ３）２−、−Ｃ（ＣＦ３）２−、または炭素数１から１２のアルキレン基、アルキリデン基、フェニレン基、アルキレンジオキシ基、フェニレンジオキシ基から選ばれる１種であり、Ｚ１〜Ｚ９はそれぞれ独立に酸素原子、または単結合である。ｈおよびｊは１〜３の整数、ｉおよびｋは０〜２の整数であり、ｈ＋ｉ＝１〜３、ｊ＋ｋ＝１〜３である。）
【請求項７】
請求項５又は請求項６に記載のテトラカルボン酸二無水物と、ジアミンと、を反応させて得られることを特徴とするポリイミド前駆体。
【請求項８】
請求項１から請求項４又は請求項７のいずれかに記載のポリイミド前駆体と、感光剤と、を含有することを特徴とする感光性樹脂組成物。
【請求項９】
前記感光剤が光重合開始剤であり、さらに、分子内に少なくとも２個以上の光重合可能な不飽和二重結合を有する光重合性化合物を含むことを特徴とする請求項８に記載の感光性樹脂組成物。
【請求項１０】
前記光重合性化合物として、分子内に光重合可能な二重結合を２個有する化合物と分子内に光重合可能な二重結合を３個以上有する化合物とを共に含むことを特徴とする請求項８又は請求項９に記載の感光性樹脂組成物。
【請求項１１】
熱硬化性樹脂及び／又はポリイミド前駆体との反応性を有する反応性化合物を含むことを特徴とする請求項８から請求項１０のいずれかに記載の感光性樹脂組成物。
【請求項１２】
リン化合物を含むことを特徴とする請求項８から請求項１１のいずれかに記載の感光性樹脂組成物。
【請求項１３】
前記リン化合物として、リン酸エステル化合物及び／又はホスファゼン化合物を含むことを特徴とする請求項１２に記載の感光性樹脂組成物。
【請求項１４】
基材と、前記基材上に設けられた請求項８から請求項１３のいずれかに記載の感光性樹脂組成物と、を備えたことを特徴とする感光性フィルム。
【請求項１５】
カバーフィルムを具備することを特徴とする請求項１４に記載の感光性フィルム。
【請求項１６】
請求項８から請求項１３のいずれかに記載の感光性樹脂組成物をイミド化して得られたことを特徴とするカバーレイ。
【請求項１７】
請求項８から請求項１３のいずれかに記載の感光性樹脂組成物をイミド化して得られたことを特徴とするフレキシブルプリント配線板。
【請求項１８】
請求項１６に記載のカバーレイと、銅張積層板と、を有することを特徴とする積層体。
【手続補正２】
【補正対象書類名】明細書
【補正対象項目名】００１４
【補正方法】変更
【補正の内容】
【００１４】
本発明のポリイミド前駆体においては、前記一般式（１）におけるＲ１がリン原子を含むことが好ましい。
【手続補正３】
【補正対象書類名】明細書
【補正対象項目名】００１５
【補正方法】変更
【補正の内容】
【００１５】
本発明のポリイミド前駆体においては、前記一般式（１）におけるＲ１が下記一般式（５）、下記一般式（６）、下記一般式（７）から選ばれる１種で表される構造を有することが好ましい。
【化２】
2011256242.tif 000006
（式（５）から式（７）中、Ｒ７からＲ１７はそれぞれ独立に水素原子、または炭素数１〜炭素数６の有機基であり、Ｙ１およびＹ２は単結合、−Ｏ−、−ＣＯ−、−ＣＯＯ−、−ＳＯ２−、−Ｓｉ（ＣＨ３）２−、−Ｃ（ＣＦ３）２−、または炭素数１から１２のアルキレン基、アルキリデン基、フェニレン基、アルキレンジオキシ基、フェニレンジオキシ基から選ばれる１種であり、Ｚ１〜Ｚ９はそれぞれ独立に酸素原子、または単結合である。ｈおよびｊは１〜３の整数、ｉおよびｋは０〜２の整数であり、ｈ＋ｉ＝１〜３、ｊ＋ｋ＝１〜３である。）
【手続補正４】
【補正対象書類名】明細書
【補正対象項目名】００１６
【補正方法】変更
【補正の内容】
【００１６】
本発明のポリイミド前駆体においては、前記一般式（１）におけるＲ１が下記一般式（２）、下記一般式（３）及び下記一般式（４）から選ばれる１種で表される構造であることが好ましい。
【化３】
2011256242.tif 000007
（式（２）中、Ｘは単結合、−Ｏ−、−ＣＯ−、−ＣＯＯ−、−ＳＯ２−、−Ｓｉ（ＣＨ３）２−、−Ｃ（ＣＦ３）２−、または炭素数１から炭素数１２のアルキレン基、アルキリデン基、フェニレン基、アルキレンジオキシ基、フェニレンジオキシ基から選ばれる１種である。Ｒ３およびＲ４はそれぞれ独立に水素原子、フッ素原子、または炭素数１から炭素数１２の１価の有機基であり、ａ、ｂはそれぞれ独立に１または２である。式（３）、式（４）中、Ｒ５およびＲ６は水素原子、フッ素原子、または炭素数１から炭素数１２の１価の有機基であり、ｃ、ｄは１または２である。）